【事件の表示】
　特願２０１３−１５１３２３号「遊技機」拒絶査定不服審判事件〔平成２６年３月６日出願公開、特開２０１４−３９８１０号〕について、次のとおり審決する。
【結　論】
　本件審判の請求は、成り立たない。
【理　由】
第１　手続の経緯  
　本願は、平成２５年７月２２日（優先権主張平成２４年７月２３日）の出願であって、平成２９年１月１３日に手続補正書が提出され、同年４月１２日付けの拒絶理由通知に対し、同年６月１５日に意見書及び手続補正書が提出され、同年１１月２９日付け（発送日：１２月５日）で拒絶査定（以下、「原査定」という。）がなされ、これに対して、平成３０年２月２８日に拒絶査定不服審判の請求がなされると同時に手続補正（以下、「本件補正」という。）がなされたものである。 
第２　本件補正についての補正の却下の決定  
［補正の却下の決定の結論］  
　本件補正を却下する。  
［理由］  
１．本件補正の概要  
　本件補正は特許請求の範囲の請求項１において、「示唆演出実行手段」が実行する「示唆演出」に係る事項を補正することを主旨とするものであり、本件補正前の請求項１の記載、及び、本件補正後の請求項１の記載はそれぞれ、以下のとおりである（下線部は、補正箇所を示す。）。  
  
（本件補正前）  
「【請求項１】 
　可変表示が可能な遊技機であって、
　遊技者の第１の動作を検出する第１の検出手段と、
　遊技者の前記第１の動作とは異なる第２の動作を検出する第２の検出手段と、
　遊技者に前記第１の動作を行うことを促進する第１の促進演出と、遊技者に前記第２の動作を行うことを促進する第２の促進演出とを実行する促進演出実行手段と、
　前記第１の促進演出の実行中に前記第１の検出手段により前記第１の動作が検出されたことに基づいて特定演出を実行する特定演出実行手段と、
　を備え、
　前記促進演出実行手段は、
　　前記第１の促進演出を実行した後に、前記第２の促進演出を実行し、
　　一の可変表示において前記第１の促進演出と前記第２の促進演出を実行する場合、前記第１の促進演出の実行前の所定期間と実行後の所定期間との少なくともいずれか一方と、前記第１の促進演出の実行中の期間は前記第２の促進演出を実行せず、
　　前記特定演出の実行中の期間は前記第２の促進演出を実行せず、
　前記第２の促進演出が実行される前に、当該第２の促進演出が実行されることを示唆する示唆演出を実行する示唆演出実行手段をさらに備える、
　ことを特徴とする遊技機。 」  
（本件補正後）  
「【請求項１】 
　可変表示が可能な遊技機であって、
　遊技者の第１の動作を検出する第１の検出手段と、
　遊技者の前記第１の動作とは異なる第２の動作を検出する第２の検出手段と、
　遊技者に前記第１の動作を行うことを促進する第１の促進演出と、遊技者に前記第２の動作を行うことを促進する第２の促進演出とを実行する促進演出実行手段と、
　前記第１の促進演出の実行中に前記第１の検出手段により前記第１の動作が検出されたことに基づいて特定演出を実行する特定演出実行手段と、
　を備え、
　前記促進演出実行手段は、
　　前記第１の促進演出を実行した後に、前記第２の促進演出を実行し、
　　一の可変表示において前記第１の促進演出と前記第２の促進演出を実行する場合、前記第１の促進演出の実行前の所定期間と実行後の所定期間との少なくともいずれか一方と、前記第１の促進演出の実行中の期間は前記第２の促進演出を実行せず、
　　前記特定演出の実行中の期間は前記第２の促進演出を実行せず、
　前記第２の促進演出が実行される前に、当該第２の促進演出が実行されることを示唆する
演出として、遊技者に動作を行うことを促進する演出態様とは異なる演出態様の
　前記示唆演出実行手段は、少なくとも前記第１の促進演出が終了する前から前記第２の促進演出が開始されるまでの期間において継続的に前記示唆演出を実行する、
　ことを特徴とする遊技機。」  
２．補正の適否 
（以下では、「本件補正後」及び「本件補正前」を単にそれぞれ「補正後」及び「補正前」という。）  
（１）補正後の請求項１は、補正前の請求項１に記載された発明特定事項である「示唆演出実行手段」が「実行」する「第２の促進演出が実行されることを示唆する示唆演出」について、「遊技者に動作を行うことを促進する演出態様とは異なる演出態様」のものであると特定することにより、補正前の請求項１に記載の上記「示唆演出」を限定するものである。  
  
（２）補正後の請求項１は、補正前の請求項１に記載された発明特定事項である「示唆演出実行手段」について、「少なくとも前記第１の促進演出が終了する前から前記第２の促進演出が開始されるまでの期間において継続的に前記示唆演出を実行する」と特定することにより、補正前の請求項１に記載の上記「示唆演出実行手段」を限定するものである。
  
　そして、補正前の請求項１に記載された発明と、補正後の請求項１に記載される発明とは、産業上の利用分野及び解決しようとする課題が同一であるので、本件補正は、特許法第１７条の２第５項第２号に規定する「特許請求の範囲の減縮」を目的とするものに該当する。  
　また、本件補正は、出願当初の明細書の段落【０２４４】〜【０２４６】、図面【図１９】の記載に基づいており、いわゆる新規事項を追加するものではない。  
３．独立特許要件  
　そこで、本件補正後の請求項１に記載される発明（以下、「本件補正発明」という。）が特許出願の際独立して特許を受けることができるものであるか否か、すなわち、特許法第１７条の２第６項において準用する同法第１２６条第７項の規定に適合するか否か、について以下検討する。  
（１）本件補正発明  
　本件補正発明は、上記「１．本件補正の概要」において示した次に特定されるとおりのものである。
（Ａ〜Ｇについては、発明特定事項を分説するため当審で付した。）  
「Ａ　可変表示が可能な遊技機であって、
Ｂ　遊技者の第１の動作を検出する第１の検出手段と、
Ｃ　遊技者の前記第１の動作とは異なる第２の動作を検出する第２の検出手段と、
Ｄ　遊技者に前記第１の動作を行うことを促進する第１の促進演出と、遊技者に前記第２の動作を行うことを促進する第２の促進演出とを実行する促進演出実行手段と、
Ｅ　前記第１の促進演出の実行中に前記第１の検出手段により前記第１の動作が検出されたことに基づいて特定演出を実行する特定演出実行手段と、
　を備え、
　前記促進演出実行手段は、
Ｄ−１　前記第１の促進演出を実行した後に、前記第２の促進演出を実行し、
Ｄ−２　一の可変表示において前記第１の促進演出と前記第２の促進演出を実行する場合、前記第１の促進演出の実行前の所定期間と実行後の所定期間との少なくともいずれか一方と、前記第１の促進演出の実行中の期間は前記第２の促進演出を実行せず、
Ｄ−３　前記特定演出の実行中の期間は前記第２の促進演出を実行せず、
Ｆ　前記第２の促進演出が実行される前に、当該第２の促進演出が実行されることを示唆する演出として、遊技者に動作を行うことを促進する演出態様とは異なる演出態様の示唆演出を実行する示唆演出実行手段をさらに備え、
Ｆ−１　前記示唆演出実行手段は、少なくとも前記第１の促進演出が終了する前から前記第２の促進演出が開始されるまでの期間において継続的に前記示唆演出を実行する、
Ｇ　ことを特徴とする遊技機。」  
  
（２）刊行物に記載された事項 
　原査定において引用され、本願の優先権主張の日（以下、「優先日」という。）前に頒布された刊行物である特開２００８―１５４６１８号公報（以下、「刊行物１」という。）には、図面とともに次の事項が記載されている（下線は当審で付した。）。  
  
　ア　「【００２７】
　遊技領域７の中央付近には、それぞれが演出用の飾り図柄を変動表示する複数の変動表示部を含む変動表示装置（画像表示装置）９が設けられている。変動表示装置９には、たとえば「左」、「中」、「右」の３つの変動表示部（図柄表示エリア）がある。
変動表示装置９は、特別図柄表示器８による特別図柄の変動表示期間中に、装飾用（演出用）の図柄としての飾り図柄の変動表示を行なう
飾り図柄の変動表示を行なう変動表示装置９
このような変動表示装置９は、
所定の演出を行なう演出表示装置としてパチンコ遊技機１に設けられている
　イ　「【００３６】
　また、図３に示すように、打球供給皿３を構成する部材においては、
遊技者により操作可能な操作手段としての操作部８１
操作部８１は、遊技者が、遊技者から見て前後左右というような予め定められた複数の方向（４方向）のうちから選択した方向へ押圧操作をすることが可能な押しボタンスイッチ（ジョグボタン）よりなる平面視円形の押圧操作部８１１と、押圧操作部８１１の周囲で回転可能に設けられ回転操作をすることが可能なダイヤル（ジョグタイヤル）よりなる回転操作部８１２との複数の操作部を含む
　ウ　「【００５０】
　図６を参照して、
操作部８１は
操作部基板８１８を含む
【００５１】〜【００５７】
（省略）
【００５８】
　ボタンベース８１７の下面部には、操作部基板８１８がビス止めにより取付けられる。図７（ａ）のように、操作部基板８１８は、円板型に形成され、各種の電気部品が搭載される基板である。
操作部基板８１８の上面側には、第１押圧検出器８１ａ、第２押圧検出器８１ｂ、第３押圧検出器８１ｃ、第４押圧検出器８１ｄ、第１回転検出器８１ｅ、第２回転検出器８１ｆ
が設けられている
【００５９】
　
第１押圧検出器８１ａ、第２押圧検出器８１ｂ、第３押圧検出器８１ｃ、および、第４押圧検出器８１ｄは、
押圧操作部８１１による４方向の方向選択操作と決定操作とを検出するために設けられた検出器であり
【００６０】〜【００６１】
（省略）
【００６２】
　また、
第１回転検出器８１ｅおよび第２回転検出器８１ｆは、回転操作部８１２による左回転操作と右回転操作とを検出するために設けられた検出器である
　エ　「【００８４】
　
演出制御基板８０は、演出制御用ＣＰＵ１０１
を含む演出制御用マイクロコンピュータ１００を搭載している
演出制御用ＣＰＵ１０１は、演出制御コマンドに基づいて、ＶＤＰ（ビデオディスプレイプロセッサ）１０９に変動表示装置９の表示制御を行なわせる
【００８５】
　この実施の形態では、
演出制御用マイクロコンピュータ１００と共動して変動表示装置９の表示制御を行なうＶＤＰ１０９が演出制御基板８０に搭載されている
【００８６】
　
演出制御用ＣＰＵ１０１は、受信した演出制御コマンドに従ってＣＧＲＯＭ（図示せず）から必要なデータを読出すための指令をＶＤＰ１０９に出力する
ＣＧＲＯＭは、変動表示装置９に表示されるキャラクタ画像データや動画像データ、具体的には、人物、文字、図形や記号等（飾り図柄を含む）、および背景画像のデータを予め格納しておくためのＲＯＭである。ＶＤＰ１０９は、演出制御用ＣＰＵ１０１の指令に応じて、ＣＧＲＯＭから画像データを読出す。そして、ＶＤＰ１０９は、読出した画像データに基づいて表示制御を実行する
　オ　「【０１５０】
　
図２２
は、チャンスリーチと呼ばれる特定種類のリーチとすることが決定されたときに、変動表示装置９に表示される画像を示す表示画面図である
図２２には、リーチＦの変動パターンでの変動表示が行なわれることによりリーチ表示態様においてスーパーリーチの演出表示が行なわれるときの画像が示され
【０１５１】
　このパチンコ遊技機１においては、
変動表示装置９においてリーチ表示態様の演出表示（以下、リーチ演出表示という）が行なわれるときに、操作部８１の操作に応じて演出表示が変化する動作表示が行なわれる
【０１５２】
　
図２２
の（ａ）に示すように
リーチ状態となり、リーチ演出表示が行なわれる
リーチＦ
においては、リーチ演出表示として、図２２
の（ｂ）のように、回転操作部８１２の回転操作を要求するリーチ時回転操作要求画像が表示される
リーチ時回転操作要求画像では、回転操作部８１２の回転操作に応じて所定の状況を示す画像が表示されればスーパーリーチとなる旨（「回転リングを操作してシュートしてください！シュートが決まればスーパーリーチ！」）を示すことにより、どのように操作部８１を操作するかを説明する操作案内表示が行なわれる
【０１５３】
　そして
操作案内表示が所定期間行なわれた後、図２２
の（ｃ），（ｄ）に示すようなエアホッケーのミニゲームを行なう画像が表示される
その画像が表示されているときに、回転操作部８１２を回転操作すると、その操作に応じて、図２２
の（ｄ）に示すように、パック９０７を打つ打撃道具としてのマレット９０８が動作する表示（たとえば、回転操作部８１２の回転操作に応じてマレット９０８が所定の円周上で動作する表示）が行なわれ、その操作にしたがって、予め定められた時間（たとえば１５秒）内で遊技者側（マレット９０８のみが表示されている側）とパチンコ遊技機１側（キャラクタ９０９が表示されている側）とでエアホッケーゲームで対戦する形式のミニゲームが行なわれる
【０１５４】
　
ミニゲームにおいては、（ｃ），（ｄ）に示すように、ゲームの進行に応じて、対戦する両者の得点が表示される（図２２の（ｃ）
においては遊技者側が０点でパチンコ遊技機１側が５点、図２２の（ｄ）においては遊技者側が１点でパチンコ遊技機１側が５点）とともに、ゲームの残り時間も表示される（図２２の（ｃ）
においては７秒、図２２の（ｄ）においては３秒
所定時間が経過するまでに遊技者側が得点をしたとき（たとえば、図２２の（ｄ）のような１得点をしたとき）には、図２２の（ｅ）に示すようにスーパーリーチとなった旨が表示された後、（ｆ）に示すように、押圧操作部８１１の押圧操作を要求するスーパーリーチ時押圧操作要求画像が表示される
【０１５５】
（省略）　
【０１５６】
　
図２２の（ｆ）に示すようなスーパーリーチ時押圧操作要求画像では、押圧操作部８１１を押圧操作して所定の状況を示す画像を表示する旨（「ＣＨＡＮＣＥボタンを連打してパワーをためてください！」）を示すことにより、どのように操作部８１を操作するかを説明する操作案内表示が行なわれる
【０１５７】
　そして
操作案内表示が所定期間行なわれた後、図２２の（ｇ）に示すように、押圧操作部８１１の押圧操作回数の増加に応じて、棒グラフ形式で表示されるパワーの値が増加する表示であるチャンス表示が行なわれる
【０１５８】
　このように、遊技者は、操作部８１の操作に基づいて、リーチ表示態様のような演出表示の進行に関与することが可能となるので、遊技の演出態様が多様化し、遊技の興趣を向上させることができる。」 
    
　上記ア〜オの記載事項から、次の事項が導かれる。  
  
（２−１）上記ア【００２７】には、「所定の演出を行なう演出表示装置」として「飾り図柄の変動表示を行なう変動表示装置９」が「パチンコ遊技機１に設けられている」ことが記載されており、「変動表示装置９は、特別図柄表示器８による特別図柄の変動表示期間中に、装飾用（演出用）の図柄としての飾り図柄の変動表示を行なう」ことが記載されている。
　そうすると、刊行物１には、「装飾用（演出用）の図柄としての飾り図柄の変動表示を行なう変動表示装置９が設けられたパチンコ機１」が記載されているといえる。 
（２−２）上記イ【００３６】には、「遊技者により操作可能な操作手段」として「操作部８１」が設けられており、「操作部８１」は「押圧操作部８１１の周囲で回転可能に設けられ回転操作をすることが可能なダイヤル（ジョグタイヤル）よりなる回転操作部８１２」を含むことが記載されている。
　上記ウ【００５０】には、「操作部８１」は「操作部基板８１８」を含むことが記載されており、上記ウ【００５８】には、「操作部基板８１８の上面側には、・・・第１回転検出器８１ｅ、第２回転検出器８１ｆ」が設けられていることが記載されている。
　また、上記ウ【００６２】には、「第１回転検出器８１ｅおよび第２回転検出器８１ｆ」は、「回転操作部８１２による左回転操作と右回転操作とを検出するために設けられた検出器」であることが記載されている。
　そうすると、刊行物１には、「遊技者により操作可能な操作手段として操作部８１が設けられており、前記操作部８１には、遊技者が回転操作をすることが可能なダイヤル（ジョグタイヤル）よりなる回転操作部８１２と、前記回転操作部８１２による左回転操作と右回転操作とを検出する第１〜２回転検出器８１ｅ〜ｆが設けられている」ことが記載されているといえる。 
（２−３）上記イ【００３６】には、「操作部８１」は「遊技者」が「押圧操作をすることが可能な押しボタンスイッチ（ジョグボタン）よりなる平面視円形の押圧操作部８１１」を含むことが記載されている。
　上記ウ【００５０】には、「操作部８１」は「操作部基板８１８」を含むことが記載されており、上記ウ【００５８】には、「操作部基板８１８の上面側には、第１押圧検出器８１ａ、第２押圧検出器８１ｂ、第３押圧検出器８１ｃ、第４押圧検出器８１ｄ」が設けられていることが記載されている。
　また、上記ウ【００５９】には、「第１押圧検出器８１ａ、第２押圧検出器８１ｂ、第３押圧検出器８１ｃ、および、第４押圧検出器８１ｄ」は、「押圧操作部８１１による４方向の方向選択操作と決定操作とを検出するために設けられた検出器」であることが記載されている。
　そうすると、刊行物１には、「前記操作部８１には、遊技者が押圧操作をすることが可能な押しボタンスイッチ（ジョグボタン）よりなる押圧操作部８１１と、前記押圧操作部８１１による４方向の方向選択操作と決定操作とを検出する第１〜４押圧検出器８１ａ〜ｄが設けられている」ことが記載されているといえる。 
（２−４）上記エ【００８４】には、「演出制御用ＣＰＵ１０１」を含む「演出制御用マイクロコンピュータ１００」が「演出制御基板８０」に搭載されていることが記載されており、上記エ【００８５】には、「演出制御用マイクロコンピュータ１００と共動して変動表示装置９の表示制御を行なうＶＤＰ１０９」が「演出制御基板８０」に搭載されていることが記載されている。
　また、上記エ【００８６】には、「演出制御用ＣＰＵ１０１」は、「受信した演出制御コマンドに従って」「人物、文字、図形や記号等（飾り図柄を含む）、および背景画像のデータを予め格納」した「ＣＧＲＯＭ」から「必要なデータを読出すための指令をＶＤＰ１０９に出力」し、「ＶＤＰ１０９」は、「演出制御用ＣＰＵ１０１の指令に応じて、ＣＧＲＯＭから画像データを読出」し、「読出した画像データに基づいて表示制御を実行する」ことが記載されている。
　そうすると、刊行物１には、「人物、文字、図形や記号等（飾り図柄を含む）、および背景画像のデータを読み出して変動表示装置９の表示制御を実行する、演出制御用ＣＰＵ１０１を含む演出制御用マイクロコンピュータ１００とＶＤＰ１０９が搭載された演出制御基板８０を備えること」が記載されているといえる。
　また、上記ア〜オの記載事項及び図２２の図示内容から、次の事項が認定できる。
［図２２］
　
（２−５）上記オ【０１５０】〜【０１５１】には、「チャンスリーチと呼ばれる特定種類のリーチとすることが決定されたとき」、「変動表示装置９」において「リーチＦの変動パターンでの変動表示が行なわれ」、「操作部８１の操作に応じて」「スーパーリーチの演出表示」に変化することが記載されている。
　上記オ【０１５２】には、「リーチ演出表示」として、「回転操作部８１２の回転操作を要求するリーチ時回転操作要求画像が表示され」、「回転操作部８１２の回転操作に応じて所定の状況を示す画像が表示されればスーパーリーチとなる旨（「回転リングを操作してシュートしてください！シュートが決まればスーパーリーチ！」）を示すことにより」、「操作案内表示が行なわれる」ことが記載されている（図２２（ｂ）を参照）。
　そうすると、刊行物１には、「チャンスリーチが決定されたとき、変動表示装置９においてリーチＦの変動パターンでの変動表示が行なわれ、操作部８１の操作に応じてスーパーリーチの演出表示に変化するに際し、「回転リングを操作してシュートしてください！シュートが決まればスーパーリーチ！」という回転操作部８１２の回転操作についての操作案内表示が行なわれること」が記載されていると認められる。
（２−６）上記オ【０１５３】には、「操作案内表示が所定期間行なわれた後」、「ミニゲームを行なう画像が表示され」、「その画像が表示されているときに、回転操作部８１２を回転操作すると、その操作に応じて」、「パック９０７を打つ打撃道具としてのマレット９０８が動作する表示・・・が行なわれ、その操作にしたがって、予め定められた時間（たとえば１５秒）内」で「遊技者側」と「パチンコ遊技機１側」とで「対戦する形式のミニゲームが行なわれる」ことが記載されている（図２２（ｃ）を参照）。
　上記オ【０１５４】には、「所定時間が経過するまでに遊技者側が得点」をすると（図２２（ｄ）を参照）、前記ミニゲームが終了して、「スーパーリーチとなった旨が表示され」ることが記載されている（図２２（ｅ）を参照）。
　そうすると、刊行物１には、「前記操作案内表示が所定期間行なわれた後、遊技者側とパチンコ遊技機１側とで対戦する形式のミニゲームを行なう画像が表示され、その画像が表示されているときに、回転操作部８１２の回転操作により、所定時間が経過するまでに遊技者側が得点をすると、前記ミニゲームが終了して、スーパーリーチとなった旨が表示されること」が記載されていると認められる。
（２−７）上記オ【０１５４】には、「スーパーリーチとなった旨が表示された後」、「押圧操作部８１１の押圧操作を要求するスーパーリーチ時押圧操作要求画像が表示される」ことが記載されている。
　上記オ【０１５６】には、「スーパーリーチ時押圧操作要求画像」では「ＣＨＡＮＣＥボタンを連打してパワーをためてください！」という「押圧操作部８１１」の「押圧操作」についての「操作案内表示が行なわれる」ことが記載されている（図２２（ｆ）を参照）。
　そうすると、刊行物１には、「スーパーリーチとなった旨が表示された後、押圧操作部８１１の押圧操作を要求するスーパーリーチ時押圧操作要求画像が表示され、「ＣＨＡＮＣＥボタンを連打してパワーをためてください！」という押圧操作部８１１の押圧操作についての操作案内表示が行なわれること」が記載されていると認められる。
　上記（２−１）〜（２−４）の記載事項、及び、上記（２−５）〜（２−７）の認定事項を総合すれば、刊行物１には、以下の発明（以下、「刊行物発明」という。）が記載されていると認められる。
（ａ〜ｇは刊行物発明の構成を分説するため当審で付した。）  
［刊行物発明］  
「ａ　装飾用（演出用）の図柄としての飾り図柄の変動表示を行なう変動表示装置９が設けられたパチンコ機１であって、
ｂ　遊技者により操作可能な操作手段として操作部８１が設けられており、前記操作部８１には、遊技者が回転操作をすることが可能なダイヤル（ジョグタイヤル）よりなる回転操作部８１２と、前記回転操作部８１２による左回転操作と右回転操作とを検出する第１〜２回転検出器８１ｅ〜ｆが設けられ、
ｃ　前記操作部８１には、遊技者が押圧操作をすることが可能な押しボタンスイッチ（ジョグボタン）よりなる押圧操作部８１１と、前記押圧操作部８１１による４方向の方向選択操作と決定操作とを検出する第１〜４押圧検出器８１ａ〜ｄが設けられ、
ｄ１　人物、文字、図形や記号等（飾り図柄を含む）、および背景画像のデータを読み出して変動表示装置９の表示制御を実行する、演出制御用ＣＰＵ１０１を含む演出制御用マイクロコンピュータ１００とＶＤＰ１０９が搭載された演出制御基板８０を備え、
ｄ２　チャンスリーチが決定されたとき、変動表示装置９においてリーチＦの変動パターンでの変動表示が行なわれ、操作部８１の操作に応じてスーパーリーチの演出表示に変化するに際し、「回転リングを操作してシュートしてください！シュートが決まればスーパーリーチ！」という回転操作部８１２の回転操作についての操作案内表示が行なわれ（認定事項（２−５））、
ｄ３　前記操作案内表示が所定期間行なわれた後、遊技者側とパチンコ遊技機１側とで対戦する形式のミニゲームを行なう画像が表示され（認定事項（２−６））、
ｄ４　前記ミニゲームを行う画像が表示されているときに、回転操作部８１２の回転操作により、所定時間が経過するまでに遊技者側が得点をすると、前記ミニゲームが終了して、スーパーリーチとなった旨が表示され（認定事項（２−６））、
ｄ５　スーパーリーチとなった旨が表示された後、押圧操作部８１１の押圧操作を要求するスーパーリーチ時押圧操作要求画像が表示され、「ＣＨＡＮＣＥボタンを連打してパワーをためてください！」という押圧操作部８１１の押圧操作についての操作案内表示が行なわれる（認定事項（２−７））、
ｇ　パチンコ機１。」 
 
（３）対比  
　本件補正発明と刊行物発明とを対比する。 
　なお、見出しは（ａ）〜（ｇ）とし、刊行物発明の分説に対応させている。  
（ａ）刊行物発明の「装飾用（演出用）の図柄としての飾り図柄の変動表示」は、本件補正発明の「可変表示」に相当する。
　また、刊行物発明の「パチンコ１」に設けられた「変動表示装置９」が、「装飾用（演出用）の図柄としての飾り図柄の変動表示を行なう」から、刊行物発明の「パチンコ機１」は、本件補正発明の「可変表示が可能な遊技機」に相当する。
　したがって、刊行物発明の構成ａである「装飾用（演出用）の図柄としての飾り図柄の変動表示を行なう変動表示装置９が設けられたパチンコ機１」は、本件補正発明の構成Ａである「可変表示が可能な遊技機」に相当する。
（ｂ）刊行物発明の「回転操作部８１２」に係る「遊技者」の「回転操作」は、本件補正発明の「遊技者の第１の動作」に相当するから、刊行物発明の「前記回転操作部８１２による左回転操作と右回転操作とを検出する第１〜２回転検出器８１ｅ〜ｆ」は、本件補正発明の「遊技者の第１の動作を検出する第１の検出手段」に相当する。
　したがって、刊行物発明の構成ｂである「遊技者により操作可能な操作手段として操作部８１が設けられており、前記操作部８１には、遊技者が回転操作をすることが可能なダイヤル（ジョグタイヤル）よりなる回転操作部８１２と、前記回転操作部８１２による左回転操作と右回転操作とを検出する第１〜２回転検出器８１ｅ〜ｆが設けられ」ることは、本件補正発明の構成Ｂである「遊技者の第１の動作を検出する第１の検出手段」を備えることに相当する。
（ｃ）刊行物発明の「押圧操作部８１１」に係る「遊技者」の「押圧操作」は、「回転操作部８１２」に係る「遊技者」の「回転操作」とは異なるものであるから、本件補正発明の「遊技者の前記第１の動作とは異なる第２の動作」に相当し、刊行物発明の「前記押圧操作部８１１による４方向の方向選択操作と決定操作とを検出する第１〜４押圧検出器８１ａ〜ｄ」は、本件補正発明の「遊技者の前記第１の動作とは異なる第２の動作を検出する第２の検出手段」に相当する。
　したがって、刊行物発明の構成ｃである「前記操作部８１には、遊技者が押圧操作をすることが可能な押しボタンスイッチ（ジョグボタン）よりなる押圧操作部８１１と、前記押圧操作部８１１による４方向の方向選択操作と決定操作とを検出する第１〜４押圧検出器８１ａ〜ｄが設けられ」ることは、本件補正発明の構成Ｃである「遊技者の前記第１の動作とは異なる第２の動作を検出する第２の検出手段」を備えることに相当する。
（ｄ）［構成Ｄの第１の促進演出について］
　刊行物発明の構成ｄ２の「「回転リングを操作してシュートしてください！シュートが決まればスーパーリーチ！」という回転操作部８１２の回転操作についての操作案内表示」は、遊技者に回転操作部８１２の回転操作を行うことを促すものであるといえる（認定事項（２−５））。
　また、刊行物発明の構成ｄ３の「遊技者側とパチンコ遊技機１側とで対戦する形式のミニゲーム」において、構成ｄ４では、「回転操作部８１２の回転操作により」、「遊技者側が得点をすると、前記ミニゲームが終了して、スーパーリーチ」となるから、刊行物発明では、前記ミニゲームが終了するまで、得点を獲得するべく遊技者に回転操作部８１２の回転操作を行うことを促しているといえる（認定事項（２−６））。
　したがって、刊行物発明では、回転操作部８１２の回転操作についての操作案内表示がなされてからミニゲームが終了するまでの間、すなわち、図２２の（ｂ）から（ｄ）までの画面遷移の間、遊技者に回転操作部８１２の回転操作を行うことを促す演出がなされており、刊行物発明の当該演出は、本件補正発明の構成Ｄの「遊技者に前記第１の動作を行うことを促進する第１の促進演出」に相当する。
［構成Ｄの第２の促進演出について］
　刊行物発明の構成ｄ５の「「ＣＨＡＮＣＥボタンを連打してパワーをためてください！」という押圧操作部８１１の押圧操作についての操作案内表示」は、遊技者に押圧操作部８１１の押圧操作を行うことを促すものであるといえる（認定事項（２−７））。
　したがって、刊行物発明の構成ｄ５の「スーパーリーチとなった旨が表示された後、押圧操作部８１１の押圧操作を要求するスーパーリーチ時押圧操作要求画像が表示され、「ＣＨＡＮＣＥボタンを連打してパワーをためてください！」という押圧操作部８１１の押圧操作についての操作案内表示が行なわれる」ことは、本件補正発明の構成Ｄの「遊技者に前記第２の動作を行うことを促進する第２の促進演出」に相当する
［構成Ｄの促進演出実行手段について］
　刊行物発明では、構成ｄ１として「人物、文字、図形や記号等（飾り図柄を含む）、および背景画像のデータを読み出して変動表示装置９の表示制御を実行する、演出制御用ＣＰＵ１０１を含む演出制御用マイクロコンピュータ１００とＶＤＰ１０９が搭載された演出制御基板８０」を備えており、この「演出制御基板８０」により、上記「第１の促進演出」及び上記「第２の促進演出」に相当する演出を実行しているといえるから、刊行物発明の構成ｄ１の「演出制御基板８０」は、本件補正発明の構成Ｄである「促進演出実行手段」としての機能を有するものである。
［構成Ｅの特定演出実行手段について］
　刊行物発明では、構成ｄ４より、前記ミニゲームが終了するまでに遊技者が回転操作部８１２の回転操作を行い、遊技者側が得点をすると、スーパーリーチとなった旨が表示されるところ、この「スーパーリーチとなった旨」を表示することは（認定事項（２−６））、ミニゲーム実行中になされた回転操作部８１２の回転操作が第１〜２回転検出器８１ｅ〜ｆにより検出されたことに基づいているといえるから、上記（ｂ）より、刊行物発明の構成ｄ４の「スーパーリーチとなった旨」を表示することは、本件補正発明の構成Ｅの「特定演出を実行する」ことに相当する。
　したがって、刊行物発明の構成ｄ４の「回転操作部８１２の回転操作により、所定時間が経過するまでに遊技者側が得点をすると、前記ミニゲームが終了して、スーパーリーチとなった旨が表示され」ることは、本件補正発明の構成Ｅの「前記第１の促進演出の実行中に前記第１の検出手段により前記第１の動作が検出されたことに基づいて特定演出を実行する」ことに相当する。
　そして、刊行物発明の構成ｄ１の「演出制御基板８０」により、上記「特定演出」に相当する演出を実行しているといえるから、刊行物発明の構成ｄ１の「演出制御基板８０」は、本件補正発明の構成Ｅの「特定演出実行手段」としての機能を有するものである。
　よって、刊行物発明は、本件補正発明の構成Ｄ及びＥに相当する構成を備えたものであるといえる。
［構成Ｄ−１〜Ｄ−３　第２の促進演出の実行時期について］
　刊行物発明の構成ｄ５において、「押圧操作部８１１の押圧操作を要求するスーパーリーチ時押圧操作要求画像が表示され、「ＣＨＡＮＣＥボタンを連打してパワーをためてください！」という押圧操作部８１１の押圧操作についての操作案内表示が行われる」タイミングは（図２２（ｆ）を参照）、「スーパーリーチとなった旨が表示された後」であり、構成ｄ２〜ｄ４より、スーパーリーチとなった旨が表示されたとき以前に（図２２（ｂ）〜（ｅ）参照）、上記「ＣＨＡＮＣＥボタンを連打してパワーをためてください！」という押圧操作部８１１の押圧操作についての操作案内表示が行われることはない。
　したがって、刊行物発明の構成ｄ２〜ｄ５は、本件補正発明の構成Ｄ−１「前記第１の促進演出を実行した後に、前記第２の促進演出を実行し」、構成Ｄ−２「一の可変表示において前記第１の促進演出と前記第２の促進演出を実行する場合、前記第１の促進演出の実行前の所定期間と実行後の所定期間との少なくともいずれか一方と、前記第１の促進演出の実行中の期間は前記第２の促進演出を実行せず」、構成Ｄ−３「前記特定演出の実行中の期間は前記第２の促進演出を実行せず」という要件を満たす。
　よって、刊行物発明は、本件補正発明の構成Ｄ−１、Ｄ−２及びＤ−３に相当する構成を備えたものであるといえる。
（ｇ）刊行物発明の構成ｇである「パチンコ機１。」は、本件補正発明の構成Ｇである「遊技機。」に相当する。
　上記（ａ）〜（ｇ）の対比により、本件補正発明と刊行物発明とは、  
「Ａ　可変表示が可能な遊技機であって、
Ｂ　遊技者の第１の動作を検出する第１の検出手段と、
Ｃ　遊技者の前記第１の動作とは異なる第２の動作を検出する第２の検出手段と、
Ｄ　遊技者に前記第１の動作を行うことを促進する第１の促進演出と、遊技者に前記第２の動作を行うことを促進する第２の促進演出とを実行する促進演出実行手段と、
Ｅ　前記第１の促進演出の実行中に前記第１の検出手段により前記第１の動作が検出されたことに基づいて特定演出を実行する特定演出実行手段と、
　を備え、
　前記促進演出実行手段は、
Ｄ−１　前記第１の促進演出を実行した後に、前記第２の促進演出を実行し、
Ｄ−２　一の可変表示において前記第１の促進演出と前記第２の促進演出を実行する場合、前記第１の促進演出の実行前の所定期間と実行後の所定期間との少なくともいずれか一方と、前記第１の促進演出の実行中の期間は前記第２の促進演出を実行せず、
Ｄ−３　前記特定演出の実行中の期間は前記第２の促進演出を実行しない、
Ｇ　遊技機。」  
  
である点で一致し、以下の相違点で相違する。
［相違点］
　本件補正発明では、「前記第２の促進演出が実行される前に、当該第２の促進演出が実行されることを示唆する演出として、遊技者に動作を行うことを促進する演出態様とは異なる演出態様の示唆演出を実行する示唆演出実行手段」をさらに備えており（構成Ｆ）、
「前記示唆演出実行手段は、少なくとも前記第１の促進演出が終了する前から前記第２の促進演出が開始されるまでの期間において継続的に前記示唆演出を実行する」ように構成している（構成Ｆ−１）のに対して、
刊行物発明では、そのような構成を備えていない点。、
（４）判断
　上記相違点について検討する。
　パチンコ遊技機の遊技者が演出表示の進行に関与することを可能とするために遊技者に操作ボタンを押圧するように促す促進演出において、第２の促進演出が実行される前に、当該第２の促進演出が実行されることを示唆する演出として、遊技者に動作を行うことを促進する演出態様とは異なる演出態様の示唆演出を、少なくとも第１の促進演出が終了する前から第２の促進演出が開始されるまでの期間において継続的に実行することは、例えば、特開２００７−７５３５９号公報や特開２０１０−２１３９２５号公報に記載されているように優先日前に周知の技術である（以下、「周知技術」という）。
（特開２００７−７５３５９号公報の段落【００５４】〜【００５６】、【図１６】〜【図１８】には、遊技者自らが音楽に合わせた形で連続操作を行い、遊技により積極的に参加しているという意識を遊技者に抱かせることを可能とするために（段落【００５６】）、画面右上枠内において「リズムに合わせてタイミングよくボタンを押して」という表示をすることにより、「遊技者に動作を行うことを促進する演出態様」にて操作ボタンを押圧するように促す促進演出が実行されるとともに、画面左枠内において、サウンドにあわせてどのタイミングで操作ボタンを押圧すればよいかをナビゲーションする指標が上から下に移動しながら表示されることが開示されている。
　ここで、指標が上から下に移動して横軸を通過した際にタイミングよく操作ボタンを操作した場合には、【図１７】に示すように「ＧＲＥＡＴ！！」と表示され、横軸を通過した際にタイミングよく操作ボタンを操作しなかった場合には、【図１８】に示すように「ＭＩＳＳ！！」と表示されることから、指標が横軸を通過することの表示は、「遊技者に操作ボタンを押圧するように促す促進演出」であるといえる。
　そして、指標は横軸に到達する前から上から下に移動しているから、指標が上から下に移動することの表示は、「促進演出が実行される前に、当該促進演出が実行されることを示唆する演出」であって、「遊技者に動作を行うことを促進する演出態様とは異なる演出態様の示唆演出」であるといえる。
　また、指標は上から下に複数個所定の間隔を有しながら同時に移動しており、横軸に最も近い指標（以下、「第１の指標」という）が移動して横軸を通過したことにより、第１の指標に係る促進演出が終了し、その次に横軸に近い指標（以下、「第２の指標」という）が横軸を通過しようとして第２の指標に係る促進演出が開始されるものであるといえる。
　そして、少なくとも第１の指標に係る促進演出が終了する前から第２の指標に係る促進演出が開始されるまでの期間において継続的に指標が上から下に移動することが表示されているから、「少なくとも第１の促進演出が終了する前から第２の促進演出が開始されるまでの期間において継続的に前記示唆演出を実行する」ものであるといえる。
　同様に、特開２０１０−２１３９２５号公報の段落【００３４】〜【００３８】、【図２】〜【図３】には、再生されている演奏曲のリズムに合わせて打楽器音を発生させ、あたかも遊技者が演奏曲の打楽器パートを演奏しているかのような仮想現実感を楽しみながら、より積極的にゲームをプレイさせるようにするために（段落【００３６】）、ゲーム画面の中央に画面左右端にかけて設けられた帯状の符号流域４において、符号１０が画面右端から左端方向に向かって流れ表示され、この符号１０が入力タイミング指標８に入ったタイミングで、遊技者に当該符号１０の示す操作種類に対応する操作ボタン１１８を操作させることが開示されている。
　ここで、符号流域４の左端に固定表示された入力タイミング指標８へ符号１０が進入することにより、操作ボタン１１８を操作すべきタイミングを遊技者に示しているから、入力タイミング指標８へ符号１０が進入することの表示は、「遊技者に操作ボタンを押圧するように促す促進演出」であるといえる。
　そして、符号１０は入力タイミング指標８に進入する前から右から左に移動しているから、符号１０が右から左に移動することの表示は、「促進演出が実行される前に、当該促進演出が実行されることを示唆する演出」であって、「遊技者に動作を行うことを促進する演出態様とは異なる演出態様の示唆演出」であるといえる。
　また、符号１０は右から左に複数個所定の間隔を有しながら同時に移動しており、入力タイミング指標８に最も近い符号（以下、「第１の符号」という）が移動して入力タイミング指標８に進入したことにより、第１の符号に係る促進演出が終了し、その次に入力タイミング指標８に近い符号（以下、「第２の符号」という）が入力タイミング指標８に進入しようとして第２の符号に係る促進演出が開始されるものであるといえる。
　そして、少なくとも第１の符号に係る促進演出が終了する前から第２の符号に係る促進演出が開始されるまでの期間において継続的に符号が右から左に移動することが表示されているから、「少なくとも第１の促進演出が終了する前から第２の促進演出が開始されるまでの期間において継続的に前記示唆演出を実行する」ものであるといえる。）
　そして、刊行物発明は、パチンコ遊技機の遊技者に押圧操作部８１１の押圧操作を促す促進演出を含むものであり（構成ｄ５）、回転操作部８１２の回転操作促進演出の後に、押圧操作部８１１の押圧操作促進演出が行われるものである（構成ｄ２及びｄ５）。
　また、刊行物発明及び上記周知技術は、遊技者の操作により演出表示の進行に関与させて遊技の興趣を向上させるという共通の課題を有している。
　よって、上記周知技術を刊行物発明の押圧操作部８１１の押圧操作促進演出に適用して、押圧操作促進演出が実行される前に、当該押圧操作促進演出が実行されることを示唆する演出として、遊技者に動作を行うことを促進する演出態様とは異なる演出態様の示唆演出を、少なくとも回転操作促進演出が終了する前から押圧操作促進演出が開始されるまでの期間において継続的に実行することにより、上記相違点に係る本件補正発明の構成Ｆ及びＦ−１を得るようにすることは、当業者ならば容易に為し得たことである。
　ここで、審判請求書において、請求人は、 
「審査官殿は、拒絶査定において、引用文献１の図２２（ｆ）は第２の促進演出を示唆する示唆演出であり、図２２（ｇ）が第２の促進演出であると、ご認定されていると思われます。 
　しかし、引用文献１の記載によれば、図２２（ｆ）は、押圧操作を要求する（遊技者の動作を促す）押圧操作要求画像であって操作案内表示であり（例えば、段落０１５４、０１５６参照）、図２２（ｇ）は、押圧操作に応じてパワーの値が増加するチャンス表示であると考えられます（例えば、段落０１５７参照）。 
　このため、引用文献１では、図２２（ｇ）においてボタン画像も表示されているといえども、図２２（ｆ）−（ｇ）においてボタン操作を促す（遊技者の動作を促す）促進演出が実行されている（※図２２（ｇ）では、促進演出と同時に操作に応じた演出が実行されている）ものと考えられます（例えば、段落０３３４の末文にもそのような記載があります）。 
　これに対して、本願の示唆演出（例えば、カウントダウン演出）は、補正により、遊技者の動作を促す態様（促進演出）とは異なる態様の演出であることが明らかとなっています。 
　このため、本願の示唆演出は、引用文献１の図２２（ｆ）に示される演出に相当するものではなく、引用文献１は、本願の特徴Ｂを開示するものではありません。 
　また、仮に、引用文献１における図２２（ｆ）の演出が、本願の示唆演出に相当すると解釈した場合には、図２２（ｆ）の演出の態様が遊技者の動作を促す態様であるため、この演出が実行されると遊技者が誤って（第２の促進演出が実行される前に）操作を行ってしまう可能性があります。 
　これに対して、本願発明では、特徴Ｂを有する（つまり、遊技者の動作を促す態様とは異なる態様の示唆演出を実行する）ために、示唆演出によって遊技者が誤操作を行うということはなく、その後行われる第２の促進演出に向けて適切に操作の準備を行うことができるという、引用文献１からは示唆されない効果が期待されます。 
　以上の理由から、本願発明は、引用文献１に開示されている発明ではなく、引用文献１に基づいて容易に想到されるものでもありません。 
　また、本願発明では、さらに、引用文献１、２に開示されいてない特徴Ｃを備えるものであり、これにより、本願発明では、２つの促進演出そのものを重複して実行しないことにより動作指示が明確になるとともに、示唆演出を継続的に実行することにより、最初の促進演出が実行されてからの期待感を継続的に維持しながら次の促進演出を開始することができ、遊技者の期待感をより長く持続できるという効果が期待されます。 
　以上の理由から、本願発明は、引用文献１、２に開示および示唆されている発明ではなく、新規性及び進歩性を有するものと思料いたします。」 
と主張している。
（「（３−４）本願発明と引用文献との対比」を参照）  
  
　しかしながら、パチンコ遊技機の遊技者に操作ボタンを押圧するように促す促進演出について、当該促進演出が実行される前に、当該促進演出が実行されることを示唆する演出として、遊技者に動作を行うことを促進する演出態様とは異なる演出態様の示唆演出を実行することや、かかる示唆演出を継続的に実行することは、上述のとおり優先日前に周知な技術であり、最初の促進演出が実行されてからの期待感を継続的に維持しながら次の促進演出を開始することができ、遊技者の期待感をより長く持続できるという効果についても、刊行物発明及び上記周知技術から当業者が予測可能な範囲内のものにすぎず、格別顕著なものということはできないから、請求人の上記主張を採用することはできない。 
　よって、本件補正発明は、刊行物発明及び上記周知技術に基づいて当業者が容易に発明をすることができたものであるから、特許法第２９条第２項の規定により、特許出願の際独立して特許を受けることができない。
 
４．むすび  
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について 
１．本願発明  
　本件補正は、上記第２において述べたとおり却下されたので、本願の請求項１に係る発明（以下、「本願発明」という。）は、平成２９年６月１５日付けの手続補正により補正された特許請求の範囲の請求項１に記載された事項により特定されるものであり、上記第２の１．で本件補正前として記載された次のとおりのものである。
「【請求項１】 
Ａ　可変表示が可能な遊技機であって、
Ｂ　遊技者の第１の動作を検出する第１の検出手段と、
Ｃ　遊技者の前記第１の動作とは異なる第２の動作を検出する第２の検出手段と、
Ｄ　遊技者に前記第１の動作を行うことを促進する第１の促進演出と、遊技者に前記第２の動作を行うことを促進する第２の促進演出とを実行する促進演出実行手段と、
Ｅ　前記第１の促進演出の実行中に前記第１の検出手段により前記第１の動作が検出されたことに基づいて特定演出を実行する特定演出実行手段と、
　を備え、
　前記促進演出実行手段は、
Ｄ−１　前記第１の促進演出を実行した後に、前記第２の促進演出を実行し、
Ｄ−２　一の可変表示において前記第１の促進演出と前記第２の促進演出を実行する場合、前記第１の促進演出の実行前の所定期間と実行後の所定期間との少なくともいずれか一方と、前記第１の促進演出の実行中の期間は前記第２の促進演出を実行せず、
Ｄ−３　前記特定演出の実行中の期間は前記第２の促進演出を実行せず、
Ｆ’　前記第２の促進演出が実行される前に、当該第２の促進演出が実行されることを示唆する示唆演出を実行する示唆演出実行手段をさらに備える、
Ｇ　ことを特徴とする遊技機。」  
２．原査定における拒絶の理由の概要 
　原査定の拒絶の理由は、
理由１（新規性） 
　この出願の請求項１に係る発明は、その出願前に日本国内において、頒布された以下の引用文献１に記載された発明であるから、特許法第２９条第１項第３号に該当し、特許を受けることができない。 
理由２（進歩性） 
　この出願の請求項１に係る発明は、その出願前に日本国内において、頒布された以下の引用文献１に記載された発明に基いて、その出願前にその発明の属する技術の分野における通常の知識を有する者が容易に発明をすることができたものであるから、特許法第２９条第２項の規定により特許を受けることができない。 
というものである。 
  
 　引用文献１．特開２００８−１５４６１８号公報 
  
３．引用文献に記載された事項 
　上記引用文献１は、上記第２の［理由］「３．独立特許要件」「（２）刊行物に記載された事項」において引用された刊行物１である。
　そして、刊行物１から、上記「（２）刊行物に記載された事項」の上記（２−１）〜（２−４）の記載事項、及び、上記（２−５）〜（２−７）の認定事項に加えて、以下の事項が認定できる。
（２−８）上記オ【０１５７】には、「操作案内表示が所定期間行なわれた後」、「押圧操作部８１１の押圧操作回数の増加に応じて、棒グラフ形式で表示されるパワーの値が増加する表示であるチャンス表示が行なわれる」ことが記載されており、【図２２】の（ｇ）から、ＣＨＡＮＣＥボタンを発光させるとともに、「連打！」という文字列が表示されることが読み取れる。
　そうすると、刊行物１には、「前記押圧操作部８１１の押圧操作についての前記操作案内表示が所定期間行なわれた後、押圧操作部８１１の押圧操作回数の増加に応じて、棒グラフ形式で表示されるパワーの値が増加する表示であるチャンス表示が行なわれ、ＣＨＡＮＣＥボタンを発光させるとともに、「連打！」という文字列が表示されること」が記載されていると認められる。
　よって、上記（２−１）〜（２−４）の記載事項、及び上記（２−５）〜（２−８）の認定事項を総合すれば、引用文献１には、以下の発明（以下、「引用発明」という。）が記載されていると認められる。
（ａ〜ｇは引用発明の構成を分説するため当審で付したものである。）  
［引用発明］  
「ａ　装飾用（演出用）の図柄としての飾り図柄の変動表示を行なう変動表示装置９が設けられたパチンコ機１であって、
ｂ　遊技者により操作可能な操作手段として操作部８１が設けられており、前記操作部８１には、遊技者が回転操作をすることが可能なダイヤル（ジョグタイヤル）よりなる回転操作部８１２と、前記回転操作部８１２による左回転操作と右回転操作とを検出する第１〜２回転検出器８１ｅ〜ｆが設けられ、
ｃ　前記操作部８１には、遊技者が押圧操作をすることが可能な押しボタンスイッチ（ジョグボタン）よりなる押圧操作部８１１と、前記押圧操作部８１１による４方向の方向選択操作と決定操作とを検出する第１〜４押圧検出器８１ａ〜ｄが設けられ、
ｄ１　人物、文字、図形や記号等（飾り図柄を含む）、および背景画像のデータを読み出して変動表示装置９の表示制御を実行する、演出制御用ＣＰＵ１０１を含む演出制御用マイクロコンピュータ１００とＶＤＰ１０９が搭載された演出制御基板８０を備え、
ｄ２　チャンスリーチが決定されたとき、変動表示装置９においてリーチＦの変動パターンでの変動表示が行なわれ、操作部８１の操作に応じてスーパーリーチの演出表示に変化するに際し、「回転リングを操作してシュートしてください！シュートが決まればスーパーリーチ！」という回転操作部８１２の回転操作についての操作案内表示が行なわれ（認定事項（２−５））、
ｄ３　前記操作案内表示が所定期間行なわれた後、遊技者側とパチンコ遊技機１側とで対戦する形式のミニゲームを行なう画像が表示され（認定事項（２−６））、
ｄ４　前記ミニゲームを行う画像が表示されているときに、回転操作部８１２の回転操作により、所定時間が経過するまでに遊技者側が得点をすると、前記ミニゲームが終了して、スーパーリーチとなった旨が表示され（認定事項（２−６））、
ｄ５　スーパーリーチとなった旨が表示された後、押圧操作部８１１の押圧操作を要求するスーパーリーチ時押圧操作要求画像が表示され、「ＣＨＡＮＣＥボタンを連打してパワーをためてください！」という押圧操作部８１１の押圧操作についての操作案内表示が行なわれる（認定事項（２−７））、
ｄ６　前記押圧操作部８１１の押圧操作についての前記操作案内表示が所定期間行なわれた後、押圧操作部８１１の押圧操作回数の増加に応じて、棒グラフ形式で表示されるパワーの値が増加する表示であるチャンス表示が行なわれ、ＣＨＡＮＣＥボタンを発光させるとともに、「連打！」という文字列が表示される（認定事項（２−８））、
ｇ　パチンコ機１。」　  
４．対比・判断
　本願発明と引用発明とを対比する。 
なお、見出しは（ａ）〜（ｇ）とし、引用発明の分説に対応させている。
（ａ）本願発明の構成Ａは、本件補正発明の構成Ａと共通する。
　また、引用発明の構成ａは、刊行物発明の構成ａと共通する。
　よって、上記「第２　本件補正についての補正の却下の決定」［理由］「３．独立特許要件」「（３）対比」の（ａ）において検討したように、引用発明の構成ａである「装飾用（演出用）の図柄としての飾り図柄の変動表示を行なう変動表示装置９が設けられたパチンコ機１」は、本願発明の構成Ａである「可変表示が可能な遊技機」に相当する。 
（ｂ）本願発明の構成Ｂは、本件補正発明の構成Ｂと共通する。
　また、引用発明の構成ｂは、刊行物発明の構成ｂと共通する。
　よって、上記「（３）対比」の（ｂ）において検討したように、引用発明の構成ｂである「遊技者により操作可能な操作手段として操作部８１が設けられており、前記操作部８１には、遊技者が回転操作をすることが可能なダイヤル（ジョグタイヤル）よりなる回転操作部８１２と、前記回転操作部８１２による左回転操作と右回転操作とを検出する第１〜２回転検出器８１ｅ〜ｆが設けられ」ることは、本願発明の構成Ｂである「遊技者の第１の動作を検出する第１の検出手段」を備えることに相当する。
（ｃ）本願発明の構成Ｃは、本件補正発明の構成Ｃと共通する。
　また、引用発明の構成ｃは、刊行物発明の構成ｃと共通する。
　よって、上記「（３）対比」の（ｃ）において検討したように、引用発明の構成ｃである「前記操作部８１には、遊技者が押圧操作をすることが可能な押しボタンスイッチ（ジョグボタン）よりなる押圧操作部８１１と、前記押圧操作部８１１による４方向の方向選択操作と決定操作とを検出する第１〜４押圧検出器８１ａ〜ｄが設けられ」ることは、本願発明の構成Ｃである「遊技者の前記第１の動作とは異なる第２の動作を検出する第２の検出手段」を備えることに相当する。
（ｄ）［構成Ｄの第１の促進演出について］
　引用発明の構成ｄ２の「「回転リングを操作してシュートしてください！シュートが決まればスーパーリーチ！」という回転操作部８１２の回転操作についての操作案内表示」は、遊技者に回転操作部８１２の回転操作を行うことを促すものであるといえる（認定事項（２−５））。
　また、引用発明の構成ｄ３の「遊技者側とパチンコ遊技機１側とで対戦する形式のミニゲーム」において、構成ｄ４では、「回転操作部８１２の回転操作により」、「遊技者側が得点をすると、前記ミニゲームが終了して、スーパーリーチ」となるから、引用発明では、前記ミニゲームが終了するまで、得点を獲得するべく遊技者に回転操作部８１２の回転操作を行うことを促しているといえる（認定事項（２−６））。
　したがって、引用発明では、回転操作部８１２の回転操作についての操作案内表示がなされてからミニゲームが終了するまでの間、すなわち、図２２の（ｂ）から（ｄ）までの画面遷移の間、遊技者に回転操作部８１２の回転操作を行うことを促す演出がなされており、引用発明の当該演出は、本願発明の構成Ｄの「遊技者に前記第１の動作を行うことを促進する第１の促進演出」に相当する。
［構成Ｄの第２の促進演出について］
　引用発明の構成ｄ６の「チャンス表示」において「ＣＨＡＮＣＥボタンを発光させるとともに、「連打！」という文字列が表示される」ことは、遊技者に押圧操作部８１１の押圧操作を行うことを促すものであるといえる（認定事項（２−８））。
　したがって、引用発明の構成ｄ６の「前記押圧操作部８１１の押圧操作についての前記操作案内表示が所定期間行なわれた後、押圧操作部８１１の押圧操作回数の増加に応じて、棒グラフ形式で表示されるパワーの値が増加する表示であるチャンス表示が行なわれ、ＣＨＡＮＣＥボタンを発光させるとともに、「連打！」という文字列が表示される」ことは、本願発明の構成Ｄの「遊技者に前記第２の動作を行うことを促進する第２の促進演出」に相当する。
［構成Ｄの促進演出実行手段について］
　引用発明では、構成ｄ１として「人物、文字、図形や記号等（飾り図柄を含む）、および背景画像のデータを読み出して変動表示装置９の表示制御を実行する、演出制御用ＣＰＵ１０１を含む演出制御用マイクロコンピュータ１００とＶＤＰ１０９が搭載された演出制御基板８０」を備えており、この「演出制御基板８０」により、上記「第１の促進演出」及び上記「第２の促進演出」に相当する演出を実行しているといえるから、引用発明の構成ｄ１の「演出制御基板８０」は、本願発明の構成Ｄである「促進演出実行手段」としての機能を有するものである。
［構成Ｅの特定演出実行手段について］
　引用発明では、構成ｄ４より、前記ミニゲームが終了するまでに遊技者が回転操作部８１２の回転操作を行い、遊技者側が得点をすると、スーパーリーチとなった旨が表示されるところ、この「スーパーリーチとなった旨」を表示することは（認定事項（２−６））、前記ミニゲーム実行中になされた回転操作部８１２の回転操作が第１〜２回転検出器８１ｅ〜ｆにより検出されたことに基づいているといえるから、引用発明の構成ｄ４の「スーパーリーチとなった旨」を表示することは、本願発明の構成Ｅの「特定演出を実行する」ことに相当する。
　したがって、引用発明の構成ｄ４の「回転操作部８１２の回転操作により、所定時間が経過するまでに遊技者側が得点をすると、前記ミニゲームが終了して、スーパーリーチとなった旨が表示され」ることは、本願発明の構成Ｅの「前記第１の促進演出の実行中に前記第１の検出手段により前記第１の動作が検出されたことに基づいて特定演出を実行する」ことに相当する。
　そして、引用発明の構成ｄ１の「演出制御基板８０」により、上記「特定演出」に相当する演出を実行しているといえるから、引用発明の構成ｄ１の「演出制御基板８０」は、本願発明の構成Ｅの「特定演出実行手段」としての機能を有するものである。
　よって、引用発明は、本願発明の構成Ｄ及びＥに相当する構成を備えたものであるといえる。
［構成Ｄ−１〜Ｄ−３の第２の促進演出の実行時期について］
　引用発明の構成ｄ６の「チャンス表示」において「ＣＨＡＮＣＥボタンを発光させるとともに、「連打！」という文字列が表示される」タイミングは（認定事項（２−８））、「スーパーリーチとなった旨が表示された後」であり、構成ｄ２〜ｄ５より、スーパーリーチとなった旨が表示されたとき以前に（図２２（ｂ）〜（ｅ）参照）、「ＣＨＡＮＣＥボタンを発光させるとともに、「連打！」という文字列が表示される」ことはない。
　したがって、引用発明の構成ｄ２〜ｄ６は、本願発明の構成Ｄ−１「前記第１の促進演出を実行した後に、前記第２の促進演出を実行し」、構成Ｄ−２「一の可変表示において前記第１の促進演出と前記第２の促進演出を実行する場合、前記第１の促進演出の実行前の所定期間と実行後の所定期間との少なくともいずれか一方と、前記第１の促進演出の実行中の期間は前記第２の促進演出を実行せず」、構成Ｄ−３「前記特定演出の実行中の期間は前記第２の促進演出を実行せず」という要件を満たす。
　よって、引用発明は、本願発明の構成Ｄ−１、Ｄ−２及びＤ−３に相当する構成を備えたものであるといえる。
［構成Ｆ’の示唆演出実行手段について］
　引用発明の構成ｄ５の「「ＣＨＡＮＣＥボタンを連打してパワーをためてください！」という押圧操作部８１１の押圧操作についての操作案内表示」（認定事項（２−７））は、構成ｄ６の「ＣＨＡＮＣＥボタンを発光させるとともに、「連打！」という文字列が表示される」こと（認定事項（２−８））よりも前に実行されており、「ＣＨＡＮＣＥボタンを発光させるとともに、「連打！」という文字列が表示される」こと（認定事項（２−８））を示唆する「示唆演出」であるといえる。
　したがって、引用発明の構成ｄ５の「「ＣＨＡＮＣＥボタンを連打してパワーをためてください！」という押圧操作部８１１の押圧操作についての操作案内表示が行われる」ことは、本願発明の構成Ｆ’の「前記第２の促進演出が実行される前に、当該第２の促進演出が実行されることを示唆する示唆演出を実行する」ことに相当する。
　そして、引用発明の構成ｄ１の「演出制御基板８０」により、上記「示唆演出」に相当する演出を実行しているといえるから、引用発明の構成ｄ１の「演出制御基板８０」は、本願発明の構成Ｆ’の「示唆演出実行手段」としての機能を有するものである。
　よって、引用発明は、本願発明の構成Ｆ’に相当する構成を備えたものであるといえる
（ｇ）引用発明の構成ｇである「パチンコ機１。」は、本願発明の構成Ｇである「遊技機。」に相当する。
　上記（ａ）〜（ｇ）の対比により、本願発明と引用発明とは、  
  
「Ａ　可変表示が可能な遊技機であって、
Ｂ　遊技者の第１の動作を検出する第１の検出手段と、
Ｃ　遊技者の前記第１の動作とは異なる第２の動作を検出する第２の検出手段と、
Ｄ　遊技者に前記第１の動作を行うことを促進する第１の促進演出と、遊技者に前記第２の動作を行うことを促進する第２の促進演出とを実行する促進演出実行手段と、
Ｅ　前記第１の促進演出の実行中に前記第１の検出手段により前記第１の動作が検出されたことに基づいて特定演出を実行する特定演出実行手段と、
　を備え、
　前記促進演出実行手段は、
Ｄ−１　前記第１の促進演出を実行した後に、前記第２の促進演出を実行し、
Ｄ−２　一の可変表示において前記第１の促進演出と前記第２の促進演出を実行する場合、前記第１の促進演出の実行前の所定期間と実行後の所定期間との少なくともいずれか一方と、前記第１の促進演出の実行中の期間は前記第２の促進演出を実行せず、
Ｄ−３　前記特定演出の実行中の期間は前記第２の促進演出を実行せず、
Ｆ’　前記第２の促進演出が実行される前に、当該第２の促進演出が実行されることを示唆する示唆演出を実行する示唆演出実行手段をさらに備える、
Ｇ　遊技機。」  
  
である点で一致し、相違するところはない。 
　そうすると、本願発明と引用発明との間に発明特定事項の差異はない。
第４　むすび 
　以上のとおりであるから、本願発明は、引用発明であって、特許法第２９条第１項第３号に該当し、特許を受けることができない。 
　したがって、他の請求項に係る発明について検討するまでもなく、本願は拒絶すべきものである。  
  
　よって、結論のとおり審決する。